(57)【要約】【課題】撮影の補助を行うと共に、撮影時に被写体が見にくくなることなく、且つ、省電力化を図ることができる撮像装置及びカメラを提供することである。【解決手段】デジタルカメラ１は、被写体を撮影して画像データを生成する撮像素子１２と、該画像データを記録若しくは表示するための画像信号処理部１４と、撮影された画像データに対応する画像を表示する画像表示部１５を有している。そして、上記画像表示部１５の視認性を上げるための遮光フードがカメラ本体に装着されたことがフード装着認識部１６で認識されると、ホワイトバランス処理部１３によってホワイトバランスの設定が変更される。【選択図】      図２
2010136004.tif 000002
【特許請求の範囲】
【請求項１】
被写体を撮影して表示可能な撮像装置であって、
上記被写体を撮影して画像データを生成する撮像素子と、
上記画像データを記録若しくは表示するための画像データ処理手段と、
上記撮像装置の撮影の補助を行うアクセサリと、
上記アクセサリが上記撮像装置に装着されたことを認識する認識手段と、
上記認識手段により前記アクセサリの装着の有無によってホワイトバランスの設定を変更する変更手段と、
を具備することを特徴とする撮像装置。
【請求項２】
上記撮影された画像データに対応する画像を表示する表示手段を更に具備することを特徴とする請求項１に記載の撮像装置。
【請求項３】
上記アクセサリは、上記表示手段の視認性を上げるための外光遮光用フードであり、
上記認識手段は、上記外光遮光用フードを上記撮像装置に装着する機構手段を含むことを特徴とする請求項２に記載の撮像装置。
【請求項４】
上記変更手段は、上記外光遮光用フードが上記機構手段に装着された場合にはホワイトバランスを所定の値に変更することを特徴とする請求項３に記載の撮像装置。
【請求項５】
上記変更手段は、上記外光遮光用フードが上記機構手段に装着された場合には晴天時の色温度となる太陽光モードにてホワイトバランスの値を変更することを特徴とする請求項４に記載の撮像装置。
【請求項６】
上記アクセサリが上記機構手段に装着された場合に設定される上記ホワイトバランスの値を無効にする解除スイッチを更に具備することを特徴とする請求項３乃至５の何れか１項に記載の撮像装置。
【請求項７】
上記アクセサリは、上記撮像装置が濡れないように保護するレインカバーであり、
上記認識手段は、上記レインカバーを上記撮像装置に装着する機構手段を含むことを特徴とする請求項２に記載の撮像装置。
【請求項８】
上記変更手段は、上記レインカバーが上記機構手段に装着された場合にはホワイトバランスを所定の値に変更することを特徴とする請求項７に記載の撮像装置。
【請求項９】
上記変更手段は、上記レインカバーが上記機構手段に装着された場合には晴天時の色温度よりも高い曇天モードにてホワイトバランスの値を変更することを特徴とする請求項８に記載の撮像装置。
【請求項１０】
上記アクセサリが上記機構手段に装着された場合に設定される上記ホワイトバランスの値を無効にする解除スイッチを更に具備することを特徴とする請求項７乃至９の何れか１項に記載の撮像装置。
【請求項１１】
上記アクセサリは、上記撮像装置が水中で撮影可能なように該撮像装置を保護する防水ハウジングであり、
上記認識手段は、上記防水ハウジングを上記撮像装置に装着したことを検出する検出手段を含むことを特徴とする請求項２に記載の撮像装置。
【請求項１２】
上記変更手段は、上記防水ハウジングが上記撮像装置に装着された場合にはホワイトバランスを所定の値に変更することを特徴とする請求項１１に記載の撮像装置。
【請求項１３】
上記変更手段は、上記防水ハウジングが上記撮像装置に装着された場合には晴天時の色温度よりも高い曇天モードにてホワイトバランスの値を変更することを特徴とする請求項１２に記載の撮像装置。
【請求項１４】
上記アクセサリが上記撮像装置に装着された場合に設定される上記ホワイトバランスの値を無効にする解除スイッチを更に具備することを特徴とする請求項１１乃至１３の何れか１項に記載の撮像装置。
【請求項１５】
上記防水ハウジングは、上記撮像装置全体をカバーするように装着することを特徴とする請求項１１に記載の撮像装置。
【請求項１６】
被写体を撮影して画像データを生成する撮像素子と、
上記画像データを記録若しくは表示するための画像データ処理手段と、
撮影の補助を行うアクセサリと、
上記アクセサリが装着されたことを認識する認識手段と、
上記認識手段により前記アクセサリの装着の有無によってホワイトバランスの設定を変更する変更手段と、
を具備することを特徴とするカメラ。
【請求項１７】
上記撮影された画像データに対応する画像を表示する表示手段を更に具備することを特徴とする請求項１６に記載のカメラ。
【請求項１８】
上記アクセサリは、上記表示手段の視認性を上げるための外光遮光用フードであり、
上記認識手段は、上記外光遮光用フードを上記カメラに装着する機構手段を含むことを特徴とする請求項１７に記載のカメラ。
【請求項１９】
上記変更手段は、上記外光遮光用フードが上記機構手段に装着された場合にはホワイトバランスを所定の値に変更することを特徴とする請求項１８に記載のカメラ。
【請求項２０】
上記変更手段は、上記外光遮光用フードが上記機構手段に装着された場合には晴天時の色温度となる太陽光モードにてホワイトバランスの値を変更することを特徴とする請求項１９に記載のカメラ。
【請求項２１】
上記アクセサリが上記機構手段に装着された場合に設定される上記ホワイトバランスの値を無効にする解除スイッチを更に具備することを特徴とする請求項１８乃至２０の何れか１項に記載のカメラ。
【請求項２２】
上記アクセサリは、上記カメラが濡れないように保護するレインカバーであり、
上記認識手段は、上記レインカバーを上記カメラに装着する機構手段を含むことを特徴とする請求項１７に記載のカメラ。
【請求項２３】
上記変更手段は、上記レインカバーが上記機構手段に装着された場合にはホワイトバランスを所定の値に変更することを特徴とする請求項２２に記載のカメラ。
【請求項２４】
上記変更手段は、上記レインカバーが上記機構手段に装着された場合には晴天時の色温度よりも高い曇天モードにてホワイトバランスの値を変更することを特徴とする請求項２３に記載のカメラ。
【請求項２５】
上記アクセサリが上記機構手段に装着された場合に設定される上記ホワイトバランスの値を無効にする解除スイッチを更に具備することを特徴とする請求項２２乃至２４の何れか１項に記載のカメラ。
【請求項２６】
上記アクセサリは、上記カメラが水中で撮影可能なように該カメラを保護する防水ハウジングであり、
上記認識手段は、上記防水ハウジングを上記カメラに装着したことを検出する検出手段を含むことを特徴とする請求項１７に記載のカメラ。
【請求項２７】
上記変更手段は、上記防水ハウジングが上記カメラに装着された場合にはホワイトバランスを所定の値に変更することを特徴とする請求項２６に記載のカメラ。
【請求項２８】
上記変更手段は、上記防水ハウジングが上記カメラに装着された場合には晴天時の色温度よりも高い曇天モードにてホワイトバランスの値を変更することを特徴とする請求項２７に記載のカメラ。
【請求項２９】
上記アクセサリが上記カメラに装着された場合に設定される上記ホワイトバランスの値を無効にする解除スイッチを更に具備することを特徴とする請求項２６乃至２８の何れか１項に記載のカメラ。
【請求項３０】
上記防水ハウジングは、上記カメラ全体をカバーするように装着することを特徴とする請求項２６に記載のカメラ。
【発明の詳細な説明】
【技術分野】
【０００１】
本発明は、デジタルカメラ、ビデオカメラ等の撮影装置に関し、より詳細には、アクセサリが装着された場合にホワイトバランスを補正可能な撮像装置及びカメラに関するものである。
【背景技術】
【０００２】
デジタルカメラやビデオカメラ等の撮影を補助する周辺アクセサリとして、例えば、遮光フード、レインカバー、防水ハウジング等が知られている。
【０００３】
上記遮光フードは、近年、電子カメラ、デジタルビデオカメラ等の撮像装置に於いては、高性能化が進展するに伴い、撮影待機画像や再生画像の視認に使用されるＬｉｑｕｉｄ  Ｃｒｙｓｔａｌ  Ｄｉｓｐｌａｙ（ＬＣＤ；以下液晶モニタと記す）に代表される表示装置もバックライト照明付きの大型のものが採用され、高解像で高精細な画像表示が行える様になってきた。
【０００４】
しかし、デジタルカメラ等の携帯機器に用いられる液晶モニタは、ＣＲＴディスプレイ等の表示装置に比べ発光量が少なく輝度が低いことから、外光により見え易さが左右される。つまり、屋内のように周囲が比較的暗い場所では視認性が良いが、屋外、特に太陽光下ではコントラストが低下し、表示画像が見にくくなる不具合があった。
【０００５】
そのため、太陽光が入らないように、遮光フードをデジタルカメラに装着する場合がある。
【０００６】
また、レインカバーは、雨天時の地上での撮影に使用するカメラの防水具として知られている。一般には、軟質で薄手のビニールや防水布でカメラを被う防水具が使用されおり、カメラレインコート、或いはカメラレインカバーと称されている。
【０００７】
カメラレインコートは、紡錘状に形成した透明なビニールの防水カバーをカメラに被せ、このカバー部材の正面に円板状のゴム部材を貼り、更にこのゴム部材に窓孔を設け、この窓孔からレンズ筒を突出して使用するものである。また、防水カバーは、カメラのみを被覆する小型のものや、撮影者の頭部、及び上半身まで被ることのできるレインコート状のものもある。
【０００８】
防水ハウジングは、撮像装置を水中で使用する際に撮像装置が濡れないように装置全体を覆う箱である。防水ハウジングは、撮影できるようにレンズ部にあたる部分が透明素材で構成されていたり、操作ボタンを何らかの手段で操作できるような構造になっている。
【０００９】
ところで、フレーミング中のデジタルカメラは、撮像素子部、画像処理回路部、表示装置部等が動作しているため、消費電力が大きく省電力化が望まれている。
【００１０】
そこで、遮光フードの装着の有無を検出して液晶モニタのバックライトの光量を制御したり（例えば、下記特許文献１参照）、遮光フードの装着の有無を検出して液晶モニタの電源を制御したり（例えば、下記特許文献２参照）、液晶モニタのバックライトに外光を使用し、且つ外光の色温度を検出して液晶モニタの色味を制御する（例えば、下記特許文献３参照）等の方怯が提案されている。
【特許文献１】特開平１０−３３２５７５号公報
【特許文献２】特開平８−４６６８３５号公報
【特許文献３】特開平８−７９５７９号公報
【発明の開示】
【発明が解決しようとする課題】
【００１１】
しかしながら、上述した特許文献１に記載の遮光フードでは、屋外で逆光撮影時に被写体が見にくくなる。また、特許文献２に記載の遮光フードでは、遮光フードを装着している間は、特に省電カの作用をしていないものであった。更に、上記特許文献３に記載の技術では、外光取り込み手段を設ける必要があり、汎用的なものではないものであった。
【００１２】
また、アクセサリとして上述したレインカバーや防水ハウジングを使用中の省電カの方法については、提案されていないものであった。
【００１３】
したがって本発明は上記実情に鑑みてなされたものであり、その目的は、撮影の補助を行うと共に、撮影時に被写体が見にくくなることなく、且つ、省電力化を図ることができる撮像装置及びカメラを提供することである。
【課題を解決するための手段】
【００１４】
すなわち本発明は、被写体を撮影して表示可能な撮像装置であって、上記被写体を撮影して画像データを生成する撮像素子と、上記画像データを記録若しくは表示するための画像データ処理手段と、上記撮像装置の撮影の補助を行うアクセサリと、上記アクセサリが上記撮像装置に装着されたことを認識する認識手段と、上記認識手段により前記アクセサリの装着の有無によってホワイトバランスの設定を変更する変更手段と、を具備することを特徴とする。
【００１５】
また本発明は、被写体を撮影して画像データを生成する撮像素子と、上記画像データを記録若しくは表示するための画像データ処理手段と、撮影の補助を行うアクセサリと、上記アクセサリが装着されたことを認識する認識手段と、上記認識手段により前記アクセサリの装着の有無によってホワイトバランスの設定を変更する変更手段と、を具備することを特徴とする。
【発明の効果】
【００１６】
本発明によれば、撮影の補助を行うと共に、撮影時に被写体が見にくくなることなく、且つ、省電力化を図ることができる撮像装置及びカメラを提供することができる。
【発明を実施するための最良の形態】
【００１７】
以下、図面を参照して本発明の実施形態を説明する。
【００１８】
（第１の実施形態）
先ず、図１乃至図３を参照して、本発明の第１の実施形態について説明する。
【００１９】
図１（ａ）は本発明の第１の実施形態による撮像装置としてのデジタルカメラの外観を背面側から見た斜視図、（ｂ）は（ａ）のデジタルカメラにアクセサリとして遮光フードが装着された状態を示す斜視図である。
【００２０】
図１（ａ）に於いて、デジタルカメラ１の本体１０の背面部には、そのほぼ中央部に、撮影画像或いは再生画像を表示する、例えば３インチ前後の液晶モニタ１５が設けられている。デジタルカメラ１の背面部に於いて、この液晶モニタ１５の周囲には、後述する遮光フード３０の装着状態を認識するためのスイッチであるフード接続部兼装着認識部１６ａが、複数（この場合４つ）設けられている。
【００２１】
上記遮光フード３０は、被晶モニタ１５の視認性を改善するために外光を遮光するための遮光部材であり、カメラ本体１０とは別個の部材により形成されている。この遮光フード３０は、該遮光フード３０を液晶モニタ１５の周囲に取り付けたときに、モニタ画面が外光から遮られるものであれば、材質や形状、色等は限定されるものではない。
【００２２】
遮光フード３０は、図１（ｂ）に示されるように、デジタルカメラ１の本体１０の液晶モニタ１５を覆うようにして、フード接続部兼装着認識部１６ａに嵌装される。遮光フード３０には、図示されないが、フード接続部兼装着認識部１６ａに対応した爪部が形成されている。この爪部が上記フード接続部兼装着認識部１６ａに嵌装されて保持されることにより、遮光フード３０がデジタルカメラ１の本体１０に固定されるようになっている。
【００２３】
図２は、図１のデジタルカメラ１の概略構成を示すブロック図である。
【００２４】
デジタルカメラ１は、撮影レンズ１１と、撮像素子１２と、ホワイトバランス処理部１３と、画像信号処理部１４と、画像表示部１５と、フード装着認識部１６と、操作スイッチ（ＳＷ）１８と、メモリ制御部１９と、メモリ領域２０と、ＣＰＵ２２と、インターフェイス２３及び記録部２４と、システムバス２５とを有して構成される。
【００２５】
撮影レンズ１１は、ＣＣＤ或いはＣＭＯＳイメージセンサで構成される撮像素子１２の撮像面上に被写体像を形成するための光学部材である。本実施形態に於いては、撮像素子１２は、内部にＣＤＳ、Ａ／Ｄ変換等の処理ブロックを有してデジタルの画像信号を出カ可能なＣＭＯＳイメージセンサであるものとして説明する。
【００２６】
撮像素子１２から出力されるデジタルの画像信号は、メモリ制御部１９を介してメモリ領域２０に一時的に保管される。メモリ領域２０は、画像信号処理部１４が画像処理を行う際のバッファメモリとしても用いられるので、書き込み・読み出しの速度が速いことが望ましく、例えばＤＲＡＭで構成することが可能である。メモリ領域２０へは、システムバス２５を介して、撮像素子１２、画像信号処理部１４、ＣＰＵ２２、画像表示部１５がアクセス可能に構成される。メモリ制御部１９は、上述した構成要素からのメモリアクセス要求を調停する機能を有する。
【００２７】
ホワイトバランス処理部１３は、撮影シーンに応じてホワイトバランスを調整するための機能を有している。本実施形態に於いては、このホワイトバランス処理部１３は、図１（ｂ）に示される遮光フード３０がデジタルカメラ１の本体１０に装着されたか否かによって、オートホワイトバランスやその他のホワイトバランス等に処理方法が変更される。例えば、オートホワイトバランスの場合は適切な値が算出されるが、後述するように、太陽光モード、曇天モード等の場合は、色温度に応じたホワイトバランスの値が選択される。
【００２８】
フード装着認識部１６は、このような遮光フード３０がデジタルカメラ１の本体１０に装着されたか否かを認識するための機能を有している。このフード装着認識部１６は、本実施形態に於いては、図１（ａ）に示されるように、４つのフード接続部兼装着認識部１６ａを有して構成される。この接続部兼装着認識部１６ａは、例えば遮光フード３０の図示されない爪部の嵌装状態に応じてオン、オフする光学的スイッチや機械的スイッチ等を有して構成される。そして、これらフード接続部兼装着認識部１６ａに遮光フード３０の図示されない爪部が嵌装されたか否かが、フード装着認識部１６で認識されると、その結果がＣＰＵ２２に出力される。これにより、ホワイトバランス処理部１３によるホワイトバランスの処理が決定される。
【００２９】
画像信号処理部１４は、特定用途向けの集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、以下ＡＳＩＣと略記する）等で構成することが可能である。この画像信号処理部１４は、撮像素子１２から出カされてメモリ領域２０に一時的に保管されたデジタルの画像信号に同時化（デモザイク処理）、ホワイトバランス調整、階調・レベル補正、アンシャープマスク、シェーディング補正等の処理を施してデジタルの画像データを生成する。また、画像信号処理部１４は、以下の３つの処理を含む処理を実行可能に構成されている。
【００３０】
すなわち、１つ目は、撮影時にライブビュー画像を生成して、画像表示部１５にこれを表示する表示ライブビュー処理（ライブビュー画表示処理）である。２つ目は、撮像素子１２から読み出された面像信号を基に記録用の画像データを生成し、それを記録する記録ライブビュー処理（画像記録処理）である。そして、３つ目は、記録された画像データを読み出して、その画像データに基づく画像を画像表示部１５に表示する表示ライブビュー処理（再生表示処理）である。
【００３１】
画像信号処理部１４が画像記録処理を行う際には、画像信号処理部１４によって生成された画像データが必要に応じてＪＰＥＧ圧縮され、インターフェイス２３を介して記録部２４に記録される。インターフェイス２３は、上記撮像素子１２により作成されて画像信号処理部１４で処理された画像データを、記録部２４に記録するためのものである。この記録部２４としては、種々のものを用いることが可能である。一例として、記録部２４はフラッシュメモリで構成されてライブビュー処理することが可能である。また、上記記録部２４は、デジタルカメラ１に内蔵されるものであっても、デジタルカメラ１に対して着脱可能に構成されるものであってもよい。例えば、デジタルカメラ１に内蔵されるものとしてはハードディスク等、着脱可能なものとしてはフラッシュメモリ等が用いられる。
【００３２】
画像表示部１５は、例えば、３インチ程度のカラー液晶表示（ＬＣＤ）パネルまたは有機ＥＬ（ＯＥＬ）ディスプレイパネル等で構成されるものである。
【００３３】
操作スイッチ（ＳＷ）１８は、図示されないが、例えばパワースイッチ、レリーズスイッチ、ズームスイッチや、各種操作を行う際の選択スイッチ、決定スイッチ、後述する解除スイッチ等を有して構成される。
【００３４】
ＣＰＵ２２は、このデジタルカメラ１の全体の動作を統括して制御する機能を有する。例えば、自動露光に係る測光、露光量演算等の一連の動作、図示されないフラッシュユニット用のメインコンデンサの充電、同フラッシュの発光量調節、撮影レンズ１１のズーム駆動、フォーカシング、撮影者による撮影モードの設定操作受け付け、画像表示部１５への制御信号の送出、図示されないシャッタの開閉、図示されない絞りの開度の制御等を行う。
【００３５】
ＣＰＵ２２はまた、画像信号処理部１４の動作を統括制御する機能を有している。ＣＰＵ２２は、画像信号処理部１４に対して上述したライブビュー画表示処理、画像記録処理、及び再生表示処理の何れかを行うように指令を発する。画像信号処理部１４によるモアレ検出も、ＣＰＵ２２からの指令に基づいて実行する。
【００３６】
システムバス２５は、上述した構成要素間で制御信号やデータを転送する際に用いられる。
【００３７】
次に、図３のフローチャートを参照して、本発明の第１の実施形態に於けるデジタルカメラ１の操作について説明する。
【００３８】
図３は、本発明の第１の実施形態に於けるデジタルカメラの操作を説明するためのフローチャートである。
【００３９】
尚、この制御動作は、主にＣＰＵ２２によって行われる。
【００４０】
先ず、ステップＳ１に於いて、操作スイッチ１８内の図示されないパワースイッチが操作されてカメラの電源が投入（ＰＯＷＥＲ  ＯＮ）される。すると、続くステップＳ２に於いて、液晶モニタ１５の周囲に、液晶モニタ１５の視認性を改善するための外光遮光用の遮光フード３０が装着されたか否かが判断される。これは、上述したように、カメラ本体１０のフード接続部兼装着認識部１６ａに、遮光フード３０の図示されない爪部が嵌装されたか否かにより行われる。その結果、遮光フード３０が装着されている場合はステップＳ３へ、装着されていない場合はステップＳ５へ、それぞれ移行する。
【００４１】
ステップＳ３では、操作スイッチ１８内の解除スイッチが操作されたか否かが判断される。すなわち、デジタルカメラ１の本体１０に遮光フード３０が装着されている場合でもオートホワイトバランスで撮影したい場合は、ステップＳ５へ移行する。
【００４２】
そして、ステップＳ３にて解除スイッチがオンされていない場合は、ステップＳ４へ移行して、カメラ本体１０に遮光フード３０が装着されたことによる昼光モード（太陽光モードに固定）でのホワイトバランスが選択され、ホワイトバランス処理部１３にて固定の値でのホワイトバランスの処理がなされる。このように、ステップＳ４では、オートホワイトバランスの検出及び演算処理が中止されて、昼光モード（または晴天モード、太陽光モード（例えば、色温度５５００Ｋ程度））に固定される。
【００４３】
一方、ステップＳ５では、遮光フード３０がカメラ本体１０に装着されていない状態でのホワイトバランス、すなわち撮像素子１２で光電変換された信号に応じて白を決定する演算処理を行うオートホワイトバランスが選択される。すなわち、オートホワイトバランスの場合は演算処理にて適切な値が算出される。
【００４４】
次いで、ステップＳ６に於いて、上述したステップＳ４またはステップＳ５で選択されたホワイトバランスが施された上で、画像信号処理部１４でＡＥ、ＡＦ等の撮影処理が実行される。
【００４５】
その後、ステップＳ７にて、操作スイッチ１８内の図示されないパワースイッチが操作されてカメラの電源がオフ（ＰＯＷＥＲ  ＯＦＦ）にされると、本シーケンスが終了する。
【００４６】
このように、第１の実施形態によれば、遮光フードがカメラ本体に装着されていない場合は通常のホワイトバランスを用い、遮光フードがカメラ本体に装着された場合はこれを検出して遮光を考慮し、オートホワイトバランス用の演算処理が中止されて固定値が用いられるので、撮影時に被写体が見にくくなることなく、省電力化を実現することができる。
【００４７】
（第２の実施形態）
上述した第１の実施形態では、カメラ本体１０にアクセサリとして遮光フード３０が装着された場合について説明したが、本第２の実施形態では、アクセサリとしてレインカバーを装着した例について説明する。
【００４８】
尚、以下に述べる第２の実施形態に於いて、カメラのデジタル基本的な構成及び動作は、図１乃至図３に示された第１の実施形態と同様であるので、異なる構成及び動作についてのみ説明し、その他の同一の部分には同一の参照番号を付して、その図示及び説明は省略する。
【００４９】
図４は、本発明の第２の実施形態による撮像装置としてのデジタルカメラにアクセサリとしてのレインカバーが装着された状態を示す斜視図である。
【００５０】
図４に於いて、デジタルカメラ１ａの本体１０ａの撮影レンズの先端部に、レインカバー３５に一体に固定されたフィルタ３６が取り付けられている。このレインカバー３５は、カメラ本体１０ａ内に、外部から雨水や塵埃等が入り込まないようにするためのものであり、例えば雨中での撮影や砂漠等の撮影時に使用される。撮影時は、撮影者がカメラごと頭部よりレインカバー３５を被るようにして使用される。また、このレインカバー３５は、例えばビニール等により構成されるものであるが、カメラ本体１０ａ内に雨水や塵埃等が入り込まないものであれば、その種類、形状は限定されない。
【００５１】
図５は、図４のデジタルカメラ１ａの概略構成を示すブロック図である。
【００５２】
デジタルカメラ１ａは、撮影レンズ１１と、撮像素子１２と、ホワイトバランス処理部１３と、画像信号処理部１４と、画像表示部１５と、レインカバー装着認識部３７と、操作スイッチ（ＳＷ）１８と、メモリ制御部１９と、メモリ領域２０と、ＣＰＵ２２と、インターフェイス２３及び記録部２４と、システムバス２５とを有して構成される。
【００５３】
レインカバー装着認識部３７は、上述したレインカバー３５がデジタルカメラ１ａに装着されたか否かを認識するための機能を有している。このレインカバー装着認識部３７は、例えば、図４に示されるフィルタ３６の近傍に設けられるもので、該フィルタ３６がデジタルカメラ１ａの撮影レンズに装着されたことを検出するセンサや機構等で構成されるものである。
【００５４】
次に、図６のフローチャートを参照して、本発明の第２の実施形態に於けるデジタルカメラ１ａの操作について説明する。
【００５５】
図６は、本発明の第２の実施形態に於けるデジタルカメラの操作を説明するためのフローチャートである。
【００５６】
尚、この制御動作は、主にＣＰＵ２２によって行われる。また、本フローチャートに於いて、ステップＳ１１、Ｓ１３、Ｓ１５〜Ｓ１７の処理動作は、上述した図３のフローチャートのステップＳ１、Ｓ３、ステップＳ５〜Ｓ７と同様の動作であるので、対応するステップ番号を参照してここでの説明は省略する。
【００５７】
先ず、ステップＳ１１にてカメラの電源が投入されると、続くステップＳ１２に於いて、レインカバー装着認識部３７によって、カメラ本体１０ａの撮影レンズにレインカバー３５が装着されたか否かが判断される。これは、上述したように、撮影レンズにフィルタ３６が装着されたか否かにより判断される。その結果、レインカバー３５が装着されている場合はステップＳ１３へ、装着されていない場合はステップＳ１５へ、それぞれ移行する。
【００５８】
そして、ステップＳ１３にて、操作スイッチ１８内の解除スイッチが操作されていない場合はステップＳ１４へ移行し、上記解除スイッチが操作された場合はステップＳ１５へ移行する。
【００５９】
ステップＳ１４では、レインカバー３５が装着されたことによるカバー有りモード（曇天モードに固定）での固定の値でのホワイトバランスが選択される。このように、ステップＳ１４では、オートホワイトバランスの検出及び演算処理が中止されて、カバー有りモード（曇天モード（例えば、色温度６５００Ｋ程度））に固定される。
【００６０】
一方、ステップＳ１５では、レインカバー３５がデジタルカメラ１ａに装着されていない状態でのホワイトバランス、すなわち撮像素子１２で光電変換された信号に応じて白を決定する演算処理を行うオートホワイトバランスが選択される。
【００６１】
次いで、ステップＳ１６に於いて、上述したステップＳ１４またはステップＳ１５で選択されたホワイトバランスが施された上で、画像信号処理部１４でＡＥ、ＡＦ等の撮影処理が実行される。その後、ステップＳ１７にて、操作スイッチ１８内の図示されないパワースイッチが操作されてカメラの電源がオフにされると、本シーケンスが終了する。
【００６２】
このように、第２の実施形態によれば、レインカバーがカメラ本体に装着されていない場合は通常のホワイトバランスを用い、レインカバーがカメラ本体に装着された場合はこれを検出して、オートホワイトバランス用の演算処理が中止されて固定値が用いられるので、撮影時に被写体が見にくくなることなく、省電力化を実現することができる。
【００６３】
（第３の実施形態）
上述した第１の実施形態では、カメラ本体１０にアクセサリとして遮光フード３０が装着された場合について説明したが、本第３の実施形態では、アクセサリとして防水ハウジングを装着した例について説明する。
【００６４】
尚、以下に述べる第３の実施形態に於いて、カメラのデジタル基本的な構成及び動作は、図１乃至図６に示された第１及び第２の実施形態と同様であるので、異なる構成及び動作についてのみ説明し、その他の同一の部分には同一の参照番号を付して、その図示及び説明は省略する。
【００６５】
図７は、本発明の第３の実施形態による撮像装置としてのデジタルカメラにアクセサリとしての防水ハウジングが装着された状態を示す斜視図である。
【００６６】
図７に於いて、デジタルカメラ１ｂの本体１０ｂには、前ハウジング４１及び後ハウジング４２とから構成された防水ハウジング４０が装着されている。カメラ本体１０ｂは、前ハウジング４１内に装填された後、後ハウジング４２が被せられるようにして装着され、更に、図示されない取り付け部材により、前ハウジング４１と後ハウジング４２が密閉される。このようにして、防水ハウジング４０内に水等が浸入しないような防水構造や耐圧構造がとられている。尚、この防水ハウジング４０は、例えばプラスチック等により構成されるものであるが、防水ハウジング４０内に水等が浸入しないような防水構造や耐圧構造がとられているものであれば、その種類は限定されない。
【００６７】
また、防水ハウジング４０の外面には、デジタルカメラ１ｂのレリーズ釦（図示せず）に対応したシャッタ釦操作スイッチ４４、モードダイヤル（図示せず）に対応したモードダイヤル操作ノブ４５をはじめとした各種操作部が設けられている。上記シャッタ釦操作スイッチ４４は上記レリーズ釦と係合してオン、オフされるもので、このシャッタ釦操作スイッチ４４がオンされることにより、レリーズ釦を介して撮影動作が行われるようになっている。同様に、モードダイヤル操作ノブ４５は上記モードダイヤルと係合して操作されるもので、このモードダイヤル操作ノブ４５が操作されることによって、各種のモードに対応した撮影シーンの設定が可能になる。
【００６８】
図８は、図７のデジタルカメラ１ｂの概略構成を示すブロック図である。
【００６９】
デジタルカメラ１ａは、撮影レンズ１１と、撮像素子１２と、ホワイトバランス処理部１３と、画像信号処理部１４と、画像表示部１５と、防水ハウジング装着認識部４８と、操作スイッチ（ＳＷ）１８と、メモリ制御部１９と、メモリ領域２０と、ＣＰＵ２２と、インターフェイス２３及び記録部２４と、システムバス２５とを有して構成される。
【００７０】
防水ハウジング装着認識部４８は、上述した防水ハウジング４０がデジタルカメラ１ｂに装着されたか否かを認識するための機能を有している。この防水ハウジング装着認識部４８は、例えば、防水ハウジング４０内に設けられた図示されない検出釦等により構成される。すなわち、この検出ボタンの状態によって、デジタルカメラ１ｂに防水ハウジング４０が装着されたか否かが検出されるようになっている。この場合、検出釦が押された場合は防水ハウジング４０が装着された状態であり、押されていない場合は防水ハウジング４０が装着されていない状態となる。勿論、防水ハウジング装着認識部４８は、これ以外の部材や気孔径によって構成するものであっても構わない。
【００７１】
次に、図９のフローチャートを参照して、本発明の第３の実施形態に於けるデジタルカメラ１ｂの操作について説明する。
【００７２】
図９は、本発明の第３の実施形態に於けるデジタルカメラの操作を説明するためのフローチャートである。
【００７３】
尚、この制御動作は、主にＣＰＵ２２によって行われる。また、本フローチャートに於いて、ステップＳ２１、Ｓ２３、Ｓ２５〜Ｓ２７の処理動作は、上述した図３のフローチャートのステップＳ１、Ｓ３、ステップＳ５〜Ｓ７と同様の動作であるので、対応するステップ番号を参照してここでの説明は省略する。
【００７４】
先ず、ステップＳ２１にてカメラの電源が投入されると、続くステップＳ２２に於いて、防水ハウジング装着認識部４８によって、カメラ本体１０ｂに防水ハウジング４０が装着されたか否かが判断される。これは、上述したように、図示されない検出釦等の状態によって装着されたか否かが判断される。その結果、防水ハウジング４０が装着されている場合はステップＳ２３へ、装着されていない場合はステップＳ２５へ、それぞれ移行する。
【００７５】
そして、ステップＳ２３にて、操作スイッチ１８内の解除スイッチが操作されていない場合はステップＳ２４へ移行し、上記解除スイッチ１８が操作された場合はステップＳ２５へ移行する。
【００７６】
ステップＳ２４では、防水ハウジング４０が装着されたことによる水中モード（曇天モードに固定）での固定の値でのホワイトバランスが選択される。このように、ステップＳ２４では、オートホワイトバランスの検出及び演算処理が中止されて、水中モードに固定される（例えば、色温度６５００Ｋ程度）。
【００７７】
一方、ステップＳ２５では、防水ハウジング４０がデジタルカメラ１ｂに装着されていない状態でのホワイトバランス、すなわち撮像素子１２で光電変換された信号に応じて白を決定する演算処理を行うオートホワイトバランスが選択される。
【００７８】
次いで、ステップＳ２６に於いて、上述したステップＳ２４またはステップＳ２５で選択されたホワイトバランスが施された上で、画像信号処理部１４でＡＥ、ＡＦ等の撮影処理が実行される。その後、ステップＳ２７にて、操作スイッチ１８内の図示されないパワースイッチが操作されてカメラの電源がオフにされると、本シーケンスが終了する。
【００７９】
このように、第３の実施形態によれば、防水ハウジングがカメラ本体に装着されていない場合は通常のホワイトバランスを用い、防水ハウジングがカメラ本体に装着された場合はこれを検出して、オートホワイトバランス用の演算処理が中止されて固定値が用いられるので、撮影時に被写体が見にくくなることなく、省電力化を実現することができる。
【００８０】
尚、本第３の実施形態に於いては、水深によって水中の色が変化する（水中は長い波長の光ほど減衰が速いので、先ず赤色が急速に減衰し、緑色が次に減衰し、最後は青色になる）ので、水深に応じて自動的に色温度を変化させるようにしてもよい。例えば、水深が浅い場所では色温度が６５００Ｋ程度であるが、深い場所では同８０００Ｋ程度に変化する等、水深に応じて適宜変化させるようにする。
【００８１】
上述した第１乃至第３の実施形態によれば、ホワイトバランス処理を中止するので、省電力化ができるだけでなく、オートホワイトバランスのエラー、或いは操作者側によるホワイトバランスの設定ミスを防止することができる。
【００８２】
以上、本発明の実施形態について説明したが、本発明は上述した実施形態に限定されるものではなく、本発明の要旨を逸脱しない範囲で種々の変形実施が可能であるのは勿論である。
【００８３】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００８４】
【図１】（ａ）は本発明の第１の実施形態による撮像装置としてのデジタルカメラの外観を背面側から見た斜視図、（ｂ）は（ａ）のデジタルカメラにアクセサリとして遮光フードが装着された状態を示す斜視図である。
【図２】図１のデジタルカメラ１の概略構成を示すブロック図である。
【図３】本発明の第１の実施形態に於けるデジタルカメラの操作を説明するためのフローチャートである。
【図４】本発明の第２の実施形態による撮像装置としてのデジタルカメラにアクセサリとしてのレインカバーが装着された状態を示す斜視図である。
【図５】図４のデジタルカメラ１ａの概略構成を示すブロック図である。
【図６】本発明の第２の実施形態に於けるデジタルカメラの操作を説明するためのフローチャートである。
【図７】本発明の第３の実施形態による撮像装置としてのデジタルカメラにアクセサリとしての防水ハウジングが装着された状態を示す斜視図である。
【図８】図７のデジタルカメラ１ｂの概略構成を示すブロック図である。
【図９】本発明の第３の実施形態に於けるデジタルカメラの操作を説明するためのフローチャートである。
【符号の説明】
【００８５】
１、１ａ、１ｂ…デジタルカメラ、１０、１０ａ、１０ｂ…カメラ本体（本体）、１１…撮影レンズ、１２…撮像素子、１３…ホワイトバランス処理部、１４…画像信号処理部、１５…画像表示部（液晶モニタ）、１６…フード装着認識部、１６ａ、１６ｂ、１６ｃ、１６ｄ…フード接続部兼装着認識部、１８…操作スイッチ（ＳＷ）、１９…メモリ制御部、２０…メモリ領域、２２…ＣＰＵ、２３…インターフェイス、２４…記録部、２５…システムバス、３０…遮光フード、３５…レインカバー、３７…レインカバー装着認識部、４０…防水ハウジング、４８…防水ハウジング装着認識部。
【図１】
2010136004.tif 000003
【図２】
2010136004.tif 000004
【図３】
2010136004.tif 000005
【図４】
2010136004.tif 000006
【図５】
2010136004.tif 000007
【図６】
2010136004.tif 000008
【図７】
2010136004.tif 000009
【図８】
2010136004.tif 000010
【図９】
2010136004.tif 000011